(57)【要約】  カメラアセンブリ（１００）およびモバイル電子装置（１０００）が提供される。カメラアセンブリ（１００）は少なくとも２つのイメージセンサ（１２）を含む。各イメージセンサ（１２）は画素配列（１２２）および制御回路（１２４）を含む。画素配列（１２２）は光感知領域（１２２２）および撮像領域（１２２４）を含む。制御回路（１２４）は、光感知命令を受け取って光感知領域（１２２２）を制御し、それによって照度を検出するように、かつ撮像命令を受け取って光感知領域（１２２２）および撮像領域（１２２４）を制御し、それによって写真プロセスをまとめて実行して画像を取得するように構成される。本開示はモバイル電子装置（１０００）をさらに提供する。
2020504565.tif 000002
【特許請求の範囲】
【請求項１】
少なくとも２つのイメージセンサ（１２）を備えるカメラアセンブリ（１００）であって、各前記イメージセンサ（１２）が、
光感知領域（１２２２）および撮像領域（１２２４）を備える画素配列（１２２）と、
光感知命令を受け取って前記光感知領域（１２２２）を制御し、それによって照度を検出するように、かつ
撮像命令を受け取って前記光感知領域（１２２２）および前記撮像領域（１２２４）を制御し、それによって写真プロセスをまとめて実行して画像を取得するように
構成された制御回路（１２４）と、
を備える、カメラアセンブリ（１００）。
【請求項２】
前記制御回路（１２４）が、
光感知命令を受け取って前記光感知領域（１２２２）を制御し、それによって現在の環境の色温度を検出するように、かつ
前記撮像領域（１２２４）を制御して前記色温度に応じて前記写真プロセスを実行し、それによって色温度調整済み画像を取得するように
さらに構成される、請求項１に記載のカメラアセンブリ（１００）。
【請求項３】
前記制御回路（１２４）が、前記撮像命令を受け取って前記光感知領域（１２２２）および前記撮像領域（１２２４）を制御し、それによって前記写真プロセスをまとめて実行して合成画像を取得するようにさらに構成される、請求項１に記載のカメラアセンブリ（１００）。
【請求項４】
各前記イメージセンサ（１２）の前記撮像領域（１２２４）が連続しており、前記画素配列（１２２）の中央に配置され、各前記イメージセンサ（１２）の前記光感知領域（１２２２）が前記撮像領域（１２２４）の周囲に配置される、かつ／または
各前記イメージセンサ（１２）の前記画素配列（１２２）が、下記の条件、すなわち、前記イメージセンサ（１２）の前記撮像領域（１２２４）の面積と前記イメージセンサ（１２）の前記画素配列（１２２）の面積の比が０．６以上であること、および、前記イメージセンサ（１２）の前記光感知領域（１２２２）の面積と前記イメージセンサ（１２）の前記画素配列（１２２）の面積の比が０．１以上であること、の少なくとも一方が満たされるように構成される、請求項１〜３のいずれか一項に記載のカメラアセンブリ（１００）。
【請求項５】
各前記イメージセンサ（１２）の前記光感知領域（１２２２）が、基本的に同じ面積を有しかつ互いに離間された少なくとも２つの光感知小領域（１２２５）を備える、請求項４に記載のカメラアセンブリ（１００）。
【請求項６】
前記少なくとも２つの光感知小領域（１２２５）が、前記撮像領域（１２２４）の左側の左光感知小領域（１２２６）および前記撮像領域（１２２４）の右側の右光感知小領域（１２２７）を有し、前記左光感知小領域（１２２６）および前記右光感知小領域（１２２７）が対称に配置され、前記左光感知小領域（１２２６）が左照度を検出するように構成され、前記右光感知小領域（１２２７）が右照度を検出するように構成され、前記光感知領域（１２２２）によって検出される前記照度が前記左照度および前記右照度の平均値である、または
前記少なくとも２つの光感知小領域（１２２５）が、前記撮像領域（１２２４）の上方の上光感知小領域（１２２８）および前記撮像領域（１２２４）の下方の下光感知小領域（１２２９）を備え、前記上光感知小領域（１２２８）および前記下光感知小領域（１２２９）が対称に配置され、前記上光感知小領域（１２２８）が上照度を検出するように構成され、前記下光感知小領域（１２２９）が下照度を検出するように構成され、前記光感知領域（１２２２）によって検出される前記照度が前記上照度および前記下照度の平均値である、または
前記少なくとも２つの光感知小領域（１２２５）が、前記撮像領域（１２２４）の左側の左光感知小領域（１２２６）、前記撮像領域（１２２４）の右側の右光感知小領域（１２２７）、前記撮像領域（１２２４）の上方の上光感知小領域（１２２８）、および前記撮像領域（１２２４）の下方の下光感知小領域（１２２９）を備え、前記左光感知小領域（１２２６）および前記右光感知小領域（１２２７）が対称に配置され、前記上光感知小領域（１２２８）および前記下光感知小領域（１２２８）が対称に配置され、前記左光感知小領域（１２２６）が左照度を検出するように構成され、前記右光感知小領域（１２２７）が右照度を検出するように構成され、前記上光感知小領域（１２２８）が上照度を検出するように構成され、前記下光感知小領域（１２２９）が下照度を検出するように構成され、前記光感知領域（１２２２）によって検出される前記照度が、前記左照度、前記右照度、前記上照度および前記下照度の平均値である、請求項５に記載のカメラアセンブリ（１００）。
【請求項７】
前記画素配列（１２２）が円および楕円の一方の形をしており、前記撮像領域（１２２４）が前記画素配列（１２２）の内接長方形の形をしており、前記光感知領域（１２２２）が、前記円および前記楕円の前記一方の前記内接長方形以外の領域を備える、かつ／または
前記画素配列（１２２）が長方形の形をしており、前記撮像領域（１２２４）が前記画素配列（１２２）の内接円および内接楕円の一方の形をしており、前記光感知領域（１２２２）が、前記長方形の前記内接円および前記内接楕円の前記一方以外の領域を備える、
請求項１〜６のいずれか一項に記載のカメラアセンブリ（１００）。
【請求項８】
前記カメラアセンブリ（１００）が２つのイメージセンサ（１２）を備え、各前記イメージセンサ（１２）の前記撮像領域（１２２４）が連続しており、各前記イメージセンサ（１２）の前記光感知領域（１２２２）が連続しており、各前記イメージセンサ（１２）の前記撮像領域（１２２４）および前記光感知領域（１２２２）が共通の境界を共有し、前記２つのイメージセンサ（１２）の２つの撮像領域（１２２４）が前記２つのイメージセンサ（１２）の２つの光感知領域（１２２２）の間に配置される、請求項１〜６のいずれか一項に記載カメラアセンブリ（１００）。
【請求項９】
請求項１〜８のいずれか一項に記載のカメラアセンブリ（１００）およびプロセッサ（２００）を備えるモバイル電子装置（１０００）であって、
前記プロセッサ（２００）が前記光感知命令および前記撮像命令を生成するように構成される、モバイル電子装置（１０００）。
【請求項１０】
前記モバイル電子装置（１０００）が前面カメラアセンブリ（１００ａ）として構成された１つのカメラアセンブリ（１００）を備え、
前記カメラアセンブリ（１００）の少なくとも２つのイメージセンサ（１２）の光感知領域（１２２２）がそれぞれ第１の照度および第２の照度を検出する場合、前記プロセッサ（２００）が、
前記第１の照度および前記第２の照度の最大値を最終照度として決定するように、または
前記第１の照度および前記第２の照度の平均値を最終照度として得るように
構成される、請求項９に記載のモバイル電子装置（１０００）。
【請求項１１】
前記モバイル電子装置（１０００）が少なくとも２つのカメラアセンブリ（１００）を備え、前記少なくとも２つのカメラアセンブリ（１００）のうちの１つが前面カメラアセンブリ（１００ａ）として構成され、前記少なくとも２つのカメラアセンブリ（１００）の別の１つが背面カメラアセンブリ（１００ｂ）として構成され、
前記前面カメラアセンブリ（１００ａ）の２つの光感知領域（１２２２）がそれぞれ第１の照度および第２の照度を検出し、前記背面カメラアセンブリ（１００ｂ）の２つの光感知領域（１２２２）がそれぞれ第３の照度および第４の照度を検出する場合、前記プロセッサ（２００）が、
前記第１の照度、前記第２の照度、前記第３の照度および前記第４の照度の最大値を最終照度として決定するように、または
前記第１の照度および前記第２の照度の平均値を前面照度として得る、前記第３の照度および前記第４の照度の平均値を背面照度として得る、そして前記前面照度および前記背面照度の最大値を最終照度として決定するように、または
前記第１の照度および前記第２の照度の最大値を前面照度として決定する、前記第３の照度および前記第４の照度の平均値を背面照度として得る、そして前記前面照度および前記背面照度の最大値を最終照度として決定するように、または
前記第１の照度および前記第２の照度の平均値を前面照度として得る、前記第３の照度および前記第４の照度の最大値を背面照度として決定する、そして前記前面照度および前記背面照度の最大値を最終照度として決定するように
構成される、請求項９に記載のモバイル電子装置（１０００）。
【請求項１２】
前記モバイル電子装置（１０００）が少なくとも２つのカメラアセンブリ（１００）を備え、前記少なくとも２つのカメラアセンブリ（１００）のうちの１つが前面カメラアセンブリ（１００ａ）として構成され、前記少なくとも２つのカメラアセンブリ（１００）のうちの別の１つが背面カメラアセンブリ（１００ｂ）として構成され、
前記前面カメラアセンブリ（１００ａ）の光感知領域（１２２２）が第１の照度を検出する場合、前記背面カメラアセンブリ（１００ｂ）の光感知領域（１２２２）が第２の照度を検出する場合、前記プロセッサ（２００）が、
前記第１の照度および前記第２の照度の最大値を最終照度として決定する
ように構成される、請求項９に記載のモバイル電子装置（１０００）。
【請求項１３】
前記モバイル電子装置（１０００）が少なくとも２つのカメラアセンブリ（１００）を備え、前記少なくとも２つのカメラアセンブリ（１００）のうちの１つが前面カメラアセンブリ（１００ａ）として構成され、前記少なくとも２つのカメラアセンブリ（１００）のうちの別の１つが背面カメラアセンブリ（１００ｂ）として構成され、
前記前面カメラアセンブリ（１００ａ）の２つの光感知領域（１２２２）がそれぞれ第１の照度および第２の照度を検出し、前記背面カメラアセンブリ（１００ｂ）の光感知領域（１２２２）が第３の照度を検出し、前記プロセッサ（２００）が、
前記第１の照度および第２の照度の最大値を前面照度として決定し、そして前記前面照度および前記第３の照度の最大値を最終照度として決定するように、または
前記第１の照度および前記第２の照度の平均値を前面照度として得る、そして前記前面照度および前記第３の照度の最大値を最終照度として決定するように
構成される、請求項９に記載のモバイル電子装置（１０００）。
【請求項１４】
前記モバイル電子装置（１０００）が少なくとも２つのカメラアセンブリ（１００）を備え、前記少なくとも２つのカメラアセンブリ（１００）のうちの１つが前面カメラアセンブリ（１００ａ）として構成され、前記少なくとも２つのカメラアセンブリ（１００）のうちの別の１つが背面カメラアセンブリ（１００ｂ）として構成され、
前記前面カメラアセンブリ（１００ａ）の光感知領域（１２２２）が第１の照度を検出し、前記背面カメラアセンブリ（１００ｂ）の２つの光感知領域（１２２２）がそれぞれ第２の照度および第３の照度を検出する場合、前記プロセッサ（２００）が、
前記第２の照度および第３の照度の最大値を背面照度として決定し、そして前記背面照度および前記第１の照度の最大値を最終照度として決定するように、または
前記第２の照度および前記第３の照度の平均値を背面照度として得る、そして前記背面照度および前記第１の照度の最大値を最終照度として決定するように
構成される、請求項９に記載のモバイル電子装置（１０００）。
【請求項１５】
別のカメラアセンブリ（６００）をさらに備え、
前記別のカメラアセンブリ（６００）がイメージセンサ（３０）を備え、前記イメージセンサ（３０）が、
光感知領域（３２２）および撮像領域（３２４）を備える画素配列（３２）と、
制御回路（３４）と、
を備え、前記制御回路（３４）が、
前記別のカメラアセンブリ（６００）が撮像モードであるかどうかを決定するように、
前記別のカメラアセンブリ（６００）が前記撮像モードでないときに、光感知命令を受け取って前記別のカメラアセンブリ（６００）の前記イメージセンサ（３０）の前記光感知領域（３２２）を制御し、それによって照度を検出するように、かつ
前記別のカメラアセンブリ（６００）が前記撮像モードであるときに、撮像命令を受け取って前記別のカメラアセンブリ（６００）の前記イメージセンサ（３０）の前記光感知領域（３２２）および前記撮像領域（３２４）を制御し、それによって写真プロセスをまとめて実行して画像を取得するように
構成される、請求項９〜１４のいずれか一項に記載のモバイル電子装置（１０００）。
【発明の詳細な説明】
【技術分野】
【０００１】
関連出願の相互参照
本出願は、２０１７年５月３日に出願された中国特許出願第２０１７１０３０５２７８．３号明細書に基づいており、同特許出願の優先権を主張するものであり、参照によりその内容全体が本明細書に組み込まれるものとする。
【０００２】
本開示は電子装置に関し、より詳細には、カメラアセンブリおよびモバイル電子装置に関する。
【背景技術】
【０００３】
通常、自撮り写真を取り込むように構成された前面カメラと周囲の明るさを検出しその周囲の明るさに応じて表示画面の明るさを調整するように構成された光センサとが電話上に設置される。しかしながら、前面カメラおよび光センサは現在、ほとんどの電話に別々に設置されているので、電話内に表示画面を配置するためのスペースが減少し、それによって電話の本体に対する画面の比率が低下する。
【発明の概要】
【発明が解決しようとする課題】
【０００４】
本開示の諸実施形態はカメラアセンブリを提供する。カメラアセンブリは少なくとも２つのイメージセンサを含む。各イメージセンサは画素配列および制御回路を含む。画素配列は光感知領域および撮像領域を含む。制御回路は、光感知命令を受け取って光感知領域を制御し、それによって照度を検出するように、かつ、撮像命令を受け取って光感知領域および撮像領域を制御し、それによって写真プロセスをまとめて実行して画像を取得するように構成される。
【課題を解決するための手段】
【０００５】
一実施形態では、制御回路は、光感知命令を受け取って光感知領域を制御し、それによって現在の環境の色温度を検出するように、かつ、撮像領域を制御して色温度に応じて写真プロセスを実行し、それによって色温度調整済み画像を取得するようにさらに構成される。
【０００６】
一実施形態では、制御回路は、撮像命令を受け取って光感知領域および撮像領域を制御し、それによって写真プロセスをまとめて実行して合成画像を取得するようにさらに構成される。
【０００７】
一実施形態では、各イメージセンサの撮像領域は連続しており、画素配列の中央に配置され、各イメージセンサの光感知領域は撮像領域の周囲に配置される。
【０００８】
一実施形態では、各イメージセンサの光感知領域は、基本的に同じ面積を有しかつ互いに離間された少なくとも２つの光感知小領域を備える。
【０００９】
一実施形態では、少なくとも２つの光感知小領域は、撮像領域の左側の左光感知小領域および撮像領域の右側の右光感知小領域を備える。左光感知小領域および右光感知小領域は対称に配置される。左光感知小領域は左照度を検出するように構成される。右光感知小領域は右照度を検出するように構成される。光感知領域によって検出される照度は左照度および右照度の平均値である。
【００１０】
一実施形態では、少なくとも２つの光感知小領域は、撮像領域の上方の上光感知小領域および撮像領域の下方の下光感知小領域を備える。上光感知小領域および下光感知小領域は対称に配置される。上光感知小領域は上照度を検出するように構成される。下光感知小領域は下照度を検出するように構成される。光感知領域によって検出される照度は上照度および下照度の平均値である。
【００１１】
一実施形態では、少なくとも２つの光感知小領域は、撮像領域の左側の左光感知小領域、撮像領域の右側の右光感知小領域、撮像領域の上方の上光感知小領域、および撮像領域の下方の下光感知小領域を備える。左光感知小領域および右光感知小領域は対称に配置される。上光感知小領域および下光感知小領域は対称に配置される。左光感知小領域は左照度を検出するように構成される。右光感知小領域は右照度を検出するように構成される。上光感知小領域は上照度を検出するように構成される。下光感知小領域は下照度を検出するように構成される。光感知領域によって検出される照度は、左照度、右照度、上照度および下照度の平均値である。
【００１２】
一実施形態では、画素配列は円および楕円の一方の形をしており、撮像領域は画素配列の内接長方形の形をしており、光感知領域は、円および楕円の一方の内接長方形以外の領域を備える。
【００１３】
一実施形態では、画素配列は長方形の形をしており、撮像領域は画素配列の内接円および内接楕円の一方の形をしており、光感知領域は、長方形の内接円および内接楕円の一方以外の領域を備える。
【００１４】
一実施形態では、各イメージセンサの撮像領域は連続しており、各イメージセンサの光感知領域は連続しており、各イメージセンサの撮像領域および光感知領域は共通の境界を共有する。
【００１５】
一実施形態では、カメラアセンブリは２つのイメージセンサを備え、２つのイメージセンサの２つの撮像領域は２つのイメージセンサの２つの光感知領域の間に配置される。
【００１６】
一実施形態では、各イメージセンサの画素配列は、下記の条件、すなわち、前記イメージセンサの撮像領域の面積と前記イメージセンサの画素配列の面積の比が０．６以上であること、および、前記イメージセンサの光感知領域の面積と前記イメージセンサの画素配列の面積の比が０．１以上であること、の少なくとも一方が満たされるように構成される。
【００１７】
本開示の諸実施形態によるモバイル電子装置は上述のカメラアセンブリを含む。モバイル電子装置はプロセッサをさらに含む。プロセッサは光感知命令および撮像命令を生成するように構成される。
【００１８】
一実施形態では、モバイル電子装置は前面カメラアセンブリとして構成された１つのカメラアセンブリを備える。カメラアセンブリの少なくとも２つのイメージセンサの光感知領域がそれぞれ第１の照度および第２の照度を検出する場合、プロセッサは、第１の照度および第２の照度の最大値を最終照度として決定するように、または、第１の照度および第２の照度の平均値を最終照度として得るように構成される。
【００１９】
一実施形態では、モバイル電子装置は少なくとも２つのカメラアセンブリを備え、少なくとも２つのカメラアセンブリのうちの１つは前面カメラアセンブリとして構成され、少なくとも２つのカメラアセンブリのうちの別の１つは背面カメラアセンブリとして構成される。前面カメラアセンブリの２つの光感知領域がそれぞれ第１の照度および第２の照度を検出し、背面カメラアセンブリの２つの光感知領域がそれぞれ第３の照度および第４の照度を検出する場合、プロセッサは、第１の照度、第２の照度、第３の照度および第４の照度の最大値を最終照度として決定するように、または、第１の照度および第２の照度の平均値を前面照度として得る、第３の照度および第４の照度の平均値を背面照度として得る、そして前面照度および背面照度の最大値を最終照度として決定するように、または、第１の照度および第２の照度の最大値を前面照度として決定する、第３の照度および第４の照度の平均値を背面照度として得る、そして前面照度および背面照度の最大値を最終照度として決定するように、または、第１の照度および第２の照度の平均値を前面照度として得る、第３の照度および第４の照度の最大値を背面照度として決定する、そして前面照度および背面照度の最大値を最終照度として決定するように構成される。
【００２０】
一実施形態では、モバイル電子装置は少なくとも２つのカメラアセンブリを備え、少なくとも２つのカメラアセンブリのうちの１つは前面カメラアセンブリとして構成され、少なくとも２つのカメラアセンブリのうちの別の１つは背面カメラアセンブリとして構成される。前面カメラアセンブリの光感知領域が第１の照度を検出し、背面カメラアセンブリの光感知領域が第２の照度を検出する場合、プロセッサは、第１の照度および第２の照度の最大値を最終照度として決定するように構成される。
【００２１】
一実施形態では、モバイル電子装置は少なくとも２つのカメラアセンブリを備え、少なくとも２つのカメラアセンブリのうちの１つは前面カメラアセンブリとして構成され、少なくとも２つのカメラアセンブリのうちの別の１つは背面カメラアセンブリとして構成される。前面カメラアセンブリの２つの光感知領域がそれぞれ第１の照度および第２の照度を検出し、背面カメラアセンブリの光感知領域が第３の照度を検出する場合、プロセッサは、第１の照度および第２の照度の最大値を前面照度として決定し、そして前面照度および第３の照度の最大値を最終照度として決定するように、または、第１の照度および第２の照度の平均値を前面照度として得る、そして前面照度および第３の照度の最大値を最終照度として決定するように構成される。
【００２２】
一実施形態では、モバイル電子装置は少なくとも２つのカメラアセンブリを備え、少なくとも２つのカメラアセンブリのうちの１つは前面カメラアセンブリとして構成され、少なくとも２つのカメラアセンブリのうちの別の１つは背面カメラアセンブリとして構成される。前面カメラアセンブリの光感知領域が第１の照度を検出し、背面カメラアセンブリの２つの光感知領域がそれぞれ第２の照度および第３の照度を検出する場合、プロセッサは、第２の照度および第３の照度の最大値を背面照度として決定し、そして背面照度および第１の照度の最大値を最終照度として決定するように、または、第２の照度および第３の照度の平均値を背面照度として得る、そして背面照度および第１の照度の最大値を最終照度として決定するように構成される。
【００２３】
一実施形態では、モバイル電子装置は別のカメラアセンブリを備え、別のカメラアセンブリはイメージセンサを備える。イメージセンサは画素配列および制御回路を備える。画素配列は光感知領域および撮像領域を備える。制御回路は、別のカメラアセンブリが撮像モードであるかどうかを決定するように、別のカメラアセンブリが撮像モードでないときに、光感知命令を受け取って別のカメラアセンブリのイメージングセンサの光感知領域を制御し、それによって照度を検出するように、かつ、別のカメラアセンブリが撮像モードであるときに、撮像命令を受け取って別のカメラアセンブリのイメージングセンサの光感知領域および撮像領域を制御し、それによって写真プロセスをまとめて実行して画像を取得するように構成される。
【００２４】
一実施形態では、モバイル電子装置は、前面カメラアセンブリおよび背面カメラアセンブリの一方として構成された１つのカメラアセンブリを備え、別のカメラアセンブリは、前面カメラアセンブリおよび背面カメラアセンブリの他方として構成される。
【００２５】
一実施形態では、カメラアセンブリ内のイメージセンサは、カメラアセンブリ内の一方のイメージセンサが撮像モードであり、カメラアセンブリ内の他方のイメージセンサが光感知モードであるとき、イメージセンサによって光感知モードで検出される照度がカメラアセンブリの照度として構成されるように構成される。
【００２６】
本開示の諸実施形態の追加の態様および利点は、以下の説明において部分的に与えられる、以下の説明から部分的に明らかになる、または本開示の諸実施形態の実践から学ぶであろう。
【００２７】
本開示の諸実施形態のこれらおよびその他の態様および利点は、図面を参照してなされる以下の説明から明らかになり、より容易に理解されるであろう。
【図面の簡単な説明】
【００２８】
【図１】本開示の一実施形態によるカメラアセンブリの概略図である。
【図２】本開示の一実施形態による電子装置の概略図である。
【図３】本開示の一実施形態による電子装置の正面図および背面図である。
【図４】本開示の一実施形態による別のカメラアセンブリの概略図である。
【図５】本開示の一実施形態による電子装置の正面図および背面図である。
【図６】本開示の一実施形態による電子装置の正面図および背面図である。
【図７】本開示の一実施形態による画素配列の概略図である。
【図８】本開示の別の実施形態による画素配列の概略図である。
【図９】本開示の別の実施形態による画素配列の概略図である。
【図１０】本開示の別の実施形態による画素配列の概略図である。
【図１１】本開示の別の実施形態による画素配列の概略図である。
【図１２】本開示の別の実施形態による画素配列の概略図である。
【図１３】本開示の別の実施形態による画素配列の概略図である。
【図１４】本開示の別の実施形態による画素配列の概略図である。
【図１５】本開示の別の実施形態による画素配列の概略図である。
【発明を実施するための形態】
【００２９】
ここで、例示的な諸実施形態が詳細に参照され、それらの実施形態の例が添付図面に示されているが、図面全体を通して同じまたは類似の参照番号は、同じもしくは類似の要素または同じもしくは類似の機能を有する要素を表す。図面を参照して以下に説明する諸実施形態は例示的なものにすぎず、本開示を説明するために使用され、本開示を制限するものとして理解されるべきではない。
【００３０】
本開示では、特に指定または制限されない限り、第１の特徴が第２の特徴「上（ｏｎ）」にある構造は、第１の特徴が第２の特徴に直接接触している実施形態を含むことができ、第１の特徴が中間媒体を介して第２の特徴に間接的に接触している実施形態も含むことができる。さらに、第１の特徴が第２の特徴「上（ｏｎ）」、「〜の上（ｏｖｅｒ）」または「〜の上方（ａｂｏｖｅ）」にある構造は、第１の特徴が第２の特徴のすぐ上方または第２の特徴の斜め上方にあることを示すことができ、あるいは単に第１の特徴の水平水準が第２の特徴よりも高いことを示すことができる。第１の特徴が第２の特徴「〜の下（ｂｅｌｏｗ）」または「〜の下方（ｕｎｄｅｒ）」にある構造は、第１の特徴が第２の特徴のすぐ下方または第２の特徴の斜め下方にあることを示すことができ、あるいは単に第１の特徴の水平水準が第２の特徴よりも低いことを示すことができる。
【００３１】
図１および図２を参照すると、本開示の諸実施形態によるカメラアセンブリ１００は２つのレンズアセンブリ１０を含む。各アセンブリ１０はイメージセンサ１２を含む。各イメージセンサ１２は画素配列１２２および制御回路１２４を含む。画素配列１２２は光感知領域１２２２および撮像領域１２２４を含む。制御回路１２４は、光感知命令を受け取って光感知領域１２２２を制御し、それによって照度を検出するように構成される。制御回路１２４は、撮像命令を受け取って光感知領域１２２２および撮像領域１２２４を制御し、それによって写真プロセスをまとめて実行して画像を取得するようにさらに構成される。
【００３２】
いくつかの実施態様では、レンズアセンブリ１０はフィルタ１４をさらに含む。フィルタ１４および画素配列１２２はそれに対応して配置される。光Ｌは、フィルタ１４を通過した後で画素配列１２２内の光感知領域１２２２および撮像領域１２２４に到達することになる。
【００３３】
いくつかの実施態様では、フィルタ１４はＲＧＢフィルタでよい。ＲＧＢフィルタは、光Ｌがフィルタ１４を通過しそして光感知領域１２２２および撮像領域１２２４を通過するのを可能にするためにベイヤー配列（Ｂａｙｅｒ  ａｒｒａｙ）で配置されて、カラー画像を取得するようにすることができる。
【００３４】
さらに、いくつかの実施態様では、フィルタ１４は可視フィルタでもよい。可視フィルタおよび画素配列１２２は、それに対応して、光Ｌがフィルタ１４を通過しそして画素配列１２２内の光感知領域１２２２および撮像領域１２２４に到達するのを可能にするために配置される。このようにして、光Ｌが可視フィルタを通過した後、光Ｌの可視光だけが光感知領域１２２２および撮像領域１２２４に到達することができるが、他の波長を有する光は遮られ、したがって、光感知領域１２２２は可視光の照度を検出するように構成することができ、光感知領域１２２２および撮像領域１２２４は画像を取得するように構成することができ、それによって光の中の赤外線光や紫外線光などの不可視光の干渉を回避し、光感知の精度および画像の質を向上させる。
【００３５】
本開示の諸実施形態によるカメラアセンブリ１００は、本開示の諸実施形態による電子装置１０００内に適用することができる。電子装置１０００はプロセッサ２００をさらに含む。プロセッサ２００は光感知命令および撮像命令を生成するように構成される。いくつかの実施態様では、電子装置１０００は表示画面３００をさらに含む。表示画面３００は、ビデオ、画像、テキスト、アイコンなどのデータ情報を表示するように構成される。
【００３６】
上述したカメラアセンブリ１００および電子装置１０００では、光感知領域１２２２および撮像領域１２２４は１つの画素配列１２２内に一体的に配置される。このようにして、カメラ構成要素と光センサ構成要素の両方を設ける必要はなく、したがって構成要素の数が減少し、表示画面３００を配置するためのスペースの比率が増大し、それによって電子装置１０００の画面対本体比を増大させることができる。光感知領域１２２２はさらに、撮像効果を最適化することができるように撮像領域１２２４の撮像を支援することができる。さらに、本開示の諸実施形態によるカメラアセンブリ１００は２つのレンズアセンブリ１０を含む。２つのレンズアセンブリ１０内の光感知領域１２２２は、照度を検出する精度を上げることができるように現在環境の照度を同時に検出することができる。２つのレンズアセンブリ１０は、撮像を同時にまたは時分割で実現し、それによって撮像効果を最適化することができる。
【００３７】
電子装置１０００は、携帯電話、タブレット型コンピュータ、ノート型コンピュータなどとすることができるが、本明細書ではこれらに限定されるものではない。本開示の諸実施形態による電子装置１０００は携帯電話を例にとることによって説明される。イメージセンサ１２またはカメラアセンブリ１００によって得られる照度は、電子装置１０００の表示画面３００の表示明るさを調整するための基準として考慮することができる。例えば、照度が高い場合、表示画面３００の表示明るさを上げることができる。照度が高い値から一定の閾値未満の値に変化した場合、ユーザが電話に応答していると決定することができ、したがって表示画面３００を消すことができる。イメージセンサ１２またはカメラアセンブリ１０によって取得された画像は、表示画面３００上に表示する、または読取りもしくは伝送のために電子装置１０００の記憶媒体に保存することができる。
【００３８】
カメラアセンブリ１００は表示画面３００と共に電子装置１０００の前面４００上に設置することができる。カメラアセンブリ１００は、電子装置１０００の後面５００または側面上に配置することもできる。カメラアセンブリ１００の２つのレンズアセンブリ１０は横方向または縦方向に配置することができる。
【００３９】
プロセッサ２００は光感知命令および撮像命令を生成するように構成される。さらに、プロセッサ２００は、光感知命令および撮像命令をレンズアセンブリ１０に対応する制御回路１２４に伝送するように構成される。いくつかの実施形態では、プロセッサ２００は、光感知命令を別々に生成および伝送することができ、あるいは撮像命令を別々に生成または伝送することができる。光感知命令および撮像命令は、入力操作を受けるとプロセッサ２００によって生成され得る。入力操作は、ユーザまたはアプリケーション環境によって入力される操作とすることができる。例えば、本開示の諸実施形態による携帯電話では、光感知命令および撮像命令は、ユーザからの携帯電話に触れる操作または特定のファンクションキー（物理的キー、仮想キーを含む）を押す操作を受けた後でプロセッサ２００によって生成され得る。いくつかの実施形態では、光感知命令および撮像命令は、携帯電話のシステム時刻が所定の時点に到達するとプロセッサ２００によって生成され得る。
【００４０】
単一の制御回路１２４が、光感知命令を別々に受け取って光感知領域１２２２を制御し、それによって照度を検出するように、または、撮像命令を別々に受け取って光感知領域１２２２および撮像領域１２２４を制御し、それによって画像をまとめて取得するように構成され得る。制御回路１２４が光感知命令または撮像命令を受け取らない場合、光感知領域１２２２および撮像領域１２２４は非動作状態であり得る。
【００４１】
２つの制御回路１２４は、光感知命令および撮像命令を別々に受け取ることができる。カメラアセンブリ１００は２つの光感知命令および２つの撮像命令を生成することができ、２つの光感知命令は第１の光感知命令および第２の光感知命令とすることができ、２つの撮像命令は第１の撮像命令および第２の撮像命令とすることができる。第１の光感知命令は第１の制御回路１２４にのみ送られ、第２の制御回路１２４には送られなくてもよい。第２の光感知命令は第２の制御回路１２４にのみ送られ、第１の制御回路１２４には送られなくてもよい。同様に、第１の撮像命令は第１の制御回路１２４にのみ送られ、第２の制御回路１２４には送られなくてもよい。第２の撮像命令は第２の制御回路１２４にのみ送られ、第１の制御回路１２４には送られなくてもよい。２つの制御回路１２４は光感知命令および撮像命令を同時に受け取ることができる。例えば、カメラアセンブリ１００は光感知命令または撮像命令を生成することができる。光感知命令は第１の制御回路１２４および第２の制御回路１２４に同時に送られる。言い換えると、２つの光感知領域１２２２を制御して照度を検出するために１つの光感知命令が使用され得る。同様に、撮像命令は第１の制御回路１２４および第２の制御回路に同時に送られる。言い換えると、２つの光感知領域１２２２および２つの撮像領域１２２４を制御して画像を取得するために１つの撮像命令が使用され得る。
【００４２】
いくつかの実施形態では、画素配列１２２は配列１２２内に配置された複数の画素を含む。撮像領域１２２４内の画素は画像を取得するように構成される。光感知領域１２２２内の画素は、撮像領域１２２４と共に照度を検出するまたは画像を取得するように構成される。画素配列１２２内の各画素は、画素に到達した光Ｌの照度に応じて対応する電気量変化をもたらすことができる。制御回路１２４は各画素に電気的に接続される。制御回路１２４は、受け取った光感知命令または撮像命令に従って対応する画素によって生成された電気量変化を取得し、さらにプロセッサ２００を用いて電気量変化を分析して対応する画素に到達した光の照度を得る、またはさらにプロセッサ２００を用いて複数の画素に到達した光の照度に関する総合的分析を行って画像を取得する。
【００４３】
いくつかの実施形態では、制御回路１２４は、イメージセンサが撮像モードであるときに光感知命令を受け取って光感知領域１２２２を制御し、それによって写真プロセスを実行して現在の環境の色温度を検出し、撮像領域１２２４を制御して色温度に応じて写真プロセスを実行し、それによって色温度調整済み画像を取得するようにさらに構成される。
【００４４】
いくつかの実施形態では、各イメージセンサ１２内の光感知領域１２２２および撮像領域１２２４は共に、それらの上方に配置されたフィルタ１４を有する。本開示の諸実施形態では、フィルタは、ＲＧＢカラーフィルタ１４を例にとることにより説明される。制御回路１２４が撮像命令を受け取ると、制御回路１２４は、光感知領域１２２２を制御して写真プロセスを実行する。現在の環境中の光は、光感知領域１２２２の上方のＲＧＢフィルタ１４を通過し、光感知領域１２２２の各画素に到達する。光感知領域１２２２内の各画素に対応する光センサ構成要素は、電気量変化をもたらして各画素に対応する赤画素値、青画素値または緑画素値を得ることができる。プロセッサ２００は、赤画素値、青画素値および緑画素値を分析することにより現在の環境の色温度を検出する。現在の環境の色温度は、現在の環境の光の各色（Ｒ、Ｇ、Ｂ）のゲイン値を反映する。その後、制御回路１２４は、撮像領域１２２４内の各画素を制御して写真プロセスを実行し撮像を実現し、それによって複数の画素値を得る。プロセッサ２００は、色温度に応じて撮像領域１２２４内の各画素の各色Ｒ、ＧまたはＢのゲイン値を調整し、補間処理およびデモザイク処理を実行し、したがって、最終的に得られる色温度調整済み画像は、現在の環境中の各物体の実際の色に近づいた色を有する。このようにして、取得した画像のカラーキャストを回避することができる。電子装置１０００が夜に写真を撮るために使用されるとき、夜景における薄暗い光のために光を補う必要がある。しかしながら、関連補足光源によって放出される光は現在の環境中の色温度に影響を及ぼし、したがって、撮像効果を最適化するために光感知領域１２２２によって検出された色温度に基づいて補助撮像を実現する必要がある。
【００４５】
いくつかの実施態様では、制御回路１２２４は、撮像命令を受け取って光感知領域１２２２および撮像領域１２２４を制御し、それによって写真プロセスをまとめて実行して合成画像を取得するようにさらに構成される。
【００４６】
いくつかの実施形態では、各イメージセンサ１２内の光感知領域１２２２および撮像領域１２２４は共に、それらの上方に配置されたフィルタ１４を有する。本開示の諸実施形態では、フィルタは、ＲＧＢカラーフィルタ１４を例にとることにより説明される。電子装置１０００が撮像モードであるとき、現在の環境中の光Ｌは光感知領域１２２２および撮像領域１２２４の上方のＲＧＢフィルタ１４を通過し、光感知領域１２２２および撮像領域１２２４内の各画素に到達する。光感知領域１２２２および撮像領域１２２４内の各画素は赤画素値、青画素値または緑画素値を得ることができる。その後、各画素値に対して補間処理およびデモザイク処理を実行して合成画像を取得する。合成画像は、光感知領域１２２２および撮像領域１２２４がまとめて撮像を実現すると得られる画像を示す。これに対して、光感知領域１２２２内の画素の数を増やして撮像を実現すると、最後に取得された画像の面積が増大し、それによって画質を最適化することができる。
【００４７】
再び図２を参照すると、いくつかの実施態様では、単一のカメラアセンブリ１００がある。単一のカメラアセンブリ１００は前面カメラアセンブリ１００ａとして構成される。２つのイメージングセンサ１２の光感知センサ１２２２がそれぞれ第１の照度および第２の照度を検出する場合、プロセッサ２００は、第１の照度および第２の照度の最大値を最終照度として選択するように構成される、あるいは、プロセッサ２００は、第１の照度および第２の照度の平均値を最終照度として得るように構成される。
【００４８】
前面カメラアセンブリ１００ａおよび表示画面３００は電子装置１０００の前面４００上に配置される。前面カメラアセンブリ１００ａは、前面４００上の照度を検出し、同時に前面４００の反対側の画像を取得するように構成され得る。
【００４９】
このようにして、プロセッサ２００は、２つの光感知領域１２２２によってそれぞれ得られた第１の照度および第２の照度に関する総合的分析を行った後で最終照度を得ることができる。電子装置１０００は、最終照度に応じて対応する制御をさらに実行して、例えば表示画面３００の表示明るさを調整する。いくつかの実施態様では、使用中、２つのレンズアセンブリ１０が非常に異なる照度を受けているという状況があり得る。例えば、ユーザが木陰で電子装置１０００を操作する場合、一方のレンズアセンブリ１０がその陰に入ることがあり、他方のレンズアセンブリ１０が直射日光にさらされることがあり、したがって、２つの光感知領域１２２２によって検出される第１の照度と第２の照度との間には大きな差があり得る。プロセッサ２００は、第１の照度および第２の照度を処理して最終照度を得て、そして最終照度に応じて表示画面３００の表示明るさを調整し、それによって表示明るさが高すぎたり低すぎたりしないようにする。
【００５０】
さらに、前面カメラアセンブリ内の２つのレンズアセンブリ１０は、撮像を同時にまたは時分割で実現することができる。
【００５１】
表１を参照すると、前面カメラアセンブリ１００ａ内の各光感知領域１２２２は３つの動作モード、すなわち光感知モード、撮像モード、および待機モードを有する。各撮像領域１２２４は２つの動作モード、すなわち撮像モードおよび待機モードを有する。したがって、前面カメラアセンブリ１００ａの動作モードは、表１内の９つの状況のうちの１つとすることができる。
【００５２】
光感知モードは、光感知領域１２２２が照度を検出することを意味する。撮像モードは、光感知領域１２２２および撮像領域１２２４が写真プロセスをまとめて実行して画像を取得することを意味する。光感知領域１２２２の待機モードは、光感知領域１２２２が光感知モードでも撮像モードでもないことを意味する。撮像領域１２２４の待機モードは、撮像領域１２２４が撮像モードでないことを意味する。さらに、撮像領域１２２４が撮像モードであるとき、光感知領域１２２２も撮像モードである。
【表１】
2020504565.tif 000003
【００５３】
表１内のいくつかの動作モードでは、前面カメラアセンブリ１００ａ内の２つのレンズアセンブリ１０は、撮像を同時に実現して画質を最適化することができる。例えば、前面カメラアセンブリ１００ａ内の２つのレンズアセンブリ１０は、撮像を同時に実現して複数フレームの第１の画像および複数フレームの第２の画像を得ることができる。プロセッサ２００は、複数フレームの第１の画像および複数フレームの第２の画像を分析することができ、最高画質を有するフレームの画像を最終画像としてふるいにかける。別の実施形態では、プロセッサ２００は、第１の画像および第２の画像に対してマージング処理およびスプライシング処理を実行して最終画像の色および鮮明度を高めることができる。
【００５４】
表１内のいくつかの動作モードでは、前面カメラアセンブリ１００ａ内の一方のレンズアセンブリ１０が、画質を最適化するように他のレンズアセンブリ１０の撮像を支援するように構成され得る。例えば、前面カメラアセンブリ１００ａ内の一方のレンズアセンブリ１０は現在の周囲の明るさを検出することができ、プロセッサ２００は、周囲の明るさを分析してレンズアセンブリ１０内の各画素に対応する各光センサ構成要素の露光時間を制御し、それによって適切な明るさを有する画像を得る。このようにして、カメラアセンブリ１００の撮像中、一方のレンズアセンブリ１０が、周囲の明るさを検出して他方のレンズアセンブリ１０の撮像を支援するために使用され、したがって最終画像が露出過度にさらされるまたは低すぎる明るさを有するという問題が回避され、それによって画質を向上させることができる。
【００５５】
さらに、前面カメラアセンブリ１０は、前面カメラアセンブリ１００ａ内の一方のレンズアセンブリ１０が撮像モードであるときに他方のレンズアセンブリ１０が光感知モードであるように構成することができる。レンズアセンブリが撮像モードであることは、レンズアセンブリのイメージセンサが撮像モードであることを指し、これは、イメージセンサ内の撮像領域および光感知領域が共に撮像モードであることを意味する。レンズアセンブリが光感知モードであることは、レンズアセンブリのイメージセンサが光感知モードであることを指し、これは、イメージセンサ内の光感知領域が光感知モードであることを意味する。光感知モードでのレンズアセンブリ１０の光感知領域１２２２は照度をカメラアセンブリ１００の照度として検出する。このようにして、前面カメラアセンブリ１００ａ内の一方のレンズアセンブリ１０が撮像を実現するとき、他方のレンズアセンブリは、環境の照度を検出して変えるべき表示画面３００の明るさを制御し、それによってユーザが写真を撮るときのプレビューを容易にし、ユーザ体験を改善することができる。
【００５６】
表１内のいくつかの動作モードでは、前面カメラアセンブリ１００ａ内の２つのレンズアセンブリ１０は、順々にイネーブルにされて画質を最適化するように撮像を実現することができる。例えば、前面カメラアセンブリ１００ａ内の一方のレンズアセンブリ１０は広角レンズを採用しており、他方のレンズアセンブリ１０は望遠レンズを採用している。カメラアセンブリ１００が撮像を実現するとき、プロセッサ２００は、広角レンズを使用してレンズアセンブリ１０をイネーブルにして撮像を実現する。ユーザがプレビュー画像の拡大操作を行うのを電子装置１０００が検出し、プロセッサ２００が所定の値よりも高いプレビュー画像の拡大スケールを導き出す場合、プロセッサ２００は、望遠レンズを使用してレンズアセンブリ１０を直ちにイネーブルにして撮像を実現する。広角レンズは大きい視野および短い焦点距離を有するが、望遠レンズは小さい視野および長い焦点距離を有する。ユーザがプレビュー画像の拡大操作をするとき、この拡大操作は、ユーザが遠景の写真を撮りたいと思っていることを示しており、この場合は、遠景の明瞭な写真を撮るために望遠レンズを採用する必要があり、したがって、望遠レンズを使用してカメラアセンブリ１００をレンズアセンブリ１０に切り替えて、画像の鮮明度を高めるように撮像を実現する必要がある。
【００５７】
しかしながら、電子装置１０００のいくつかの利用シナリオでは、電子装置１０００の前面４００および後面５００上の照度は明らかに異なるという状況があり得る。例えば、ユーザは、携帯電話を、前面４００がテーブル上面と向かい合った状態でテーブル上に置くことがある。表示画面３００の表示明るさが、前面カメラアセンブリ１００ａによって検出された前面４００上の照度に応じてのみ制御される場合、表示画面３００は非表示状態または低い明るさの表示状態であり得る。ユーザが電子装置１０００を使用するために突然持ち上げるとき、電子装置１０００は、表示画面３００を呼び起こすか表示画面３００の明るさを短時間で上げる必要がある。ユーザが電子装置１０００を頻繁に持ち上げたり下に置いたりするとき、電子装置１０００は、表示画面３００の明るさを制御するために大量の電気エネルギーを消費することになる。別の例では、ユーザが屋内で横になるときにユーザが電子装置１０００を操作する場合、後面５００は、天井上に取り付けられた光源（天井灯など）と向かい合うことがあり、したがって後面５００上の照度は前面４００上の照度より大きくなり得る。この場合、表示画面３００の明るさが前面４００上の照度に応じてしか調整されない場合、ユーザは低い明るさのせいで表示内容を理解することができない可能性がある。したがって、プロセッサ２００が電子装置１０００の前面４００上の照度と後面５００上の照度の両方を処理することができれば、最適照度を得ることができる。
【００５８】
図３を参照すると、いくつかの実施態様では、複数のカメラアセンブリ１００がある。カメラアセンブリ１００のうちの１つが前面カメラアセンブリ１００ａとして構成され、カメラアセンブリ１００のうちの別のものが背面カメラアセンブリ１００ｂとして構成される。前面カメラアセンブリ１００ａおよび表示画面３００は電子装置１０００の前面４００上に配置される。前面カメラアセンブリ１００ａは、前面４００上の照度を検出し、同時に前面４００の反対側の画像を取得するように構成され得る。背面カメラアセンブリ１００ｂは電子装置１０００の後面５００上に配置される。背面カメラアセンブリ１００ｂは、後面５００上の照度を検出し、同時に後面５００の反対側の画像を取得するように構成され得る。
【００５９】
表２を参照すると、前面カメラアセンブリ１００ａ内の各光感知領域１２２２は３つの動作モード、すなわち光感知モード、撮像モード、および待機モードを有する。前面カメラアセンブリ１００ａ内の各撮像領域１２２４は２つの動作モード、すなわち撮像モードおよび待機モードを有する。背面カメラアセンブリ１００ｂ内の各光感知領域１２２２は３つの動作モード、すなわち光感知モード、撮像モード、および待機モードを有する。背面カメラアセンブリ１００ｂ内の各撮像領域１２２４は２つの動作モード、すなわち撮像モードおよび待機モードを有する。前面カメラアセンブリ１００ａの動作モードは表２に複数の状況を含むことができる。背面カメラアセンブリ１００ｂの動作モードは表２に複数の状況を含むことができる。
【００６０】
光感知モードは、光感知領域１２２２が照度を検出することを意味する。撮像モードは、光感知領域１２２２および撮像領域１２２４が写真プロセスをまとめて実行して画像を取得することを意味する。光感知領域１２２２の待機モードは、光感知領域１２２２が光感知モードでも撮像モードでもないことを意味する。撮像領域１２２４の待機モードは、撮像領域１２２４が撮像モードでないことを意味する。さらに、撮像領域１２２４が撮像モードであるとき、光感知領域１２２２も撮像モードである。
【表２】
2020504565.tif 000004
【００６１】
前面カメラアセンブリ１００ａの動作モードおよび背面カメラアセンブリ１００ｂの動作モードは複数の組み合わせをつくる。しかしながら、長さが制限されるため、表２は動作モードのいくつかの組み合わせを列挙したにすぎない。前面カメラアセンブリ１００ａおよび背面カメラアセンブリ１００ｂの動作モードの他の組み合わせがあり得るが、これらの組み合わせは本明細書には列挙されていない。
【００６２】
いくつかの動作モードでは、例えば動作状態Ｎｏ．１では、前面カメラアセンブリ１００ａ内の２つの光感知領域１２２２はそれぞれ第１の照度および第２の照度を検出し、背面カメラアセンブリ１００ｂ内の２つの光感知領域１２２２はそれぞれ第３の照度および第４の照度を検出する。この場合、電子装置１０００の最終照度は、以下の４つの方法のうちの１つに基づいて計算することができる。
【００６３】
方法１、プロセッサ２００は、第１の照度、第２の照度、第３の照度、および第４の照度の最大値を最終照度として選択するように構成され得る。
【００６４】
方法２、プロセッサ２００は、第１の照度および第２の照度の平均値を前面照度（前面照度は前面カメラアセンブリ内の光感知領域によって検出される照度を指す）として得るように、第３の照度および第４の照度の平均値を背面照度（背面照度は背面カメラアセンブリ内の光感知領域によって検出される照度を指す）として得るように、かつ前面照度および背面照度の最大値を最終照度として選択するように構成され得る。
【００６５】
方法３、プロセッサ２００は、第１の照度および第２の照度の最大値を前面照度として選択するように、第３の照度および第４の照度の平均値を背面照度として得るように、かつ前面照度および背面照度の最大値を最終照度として選択するように構成され得る。
【００６６】
方法４、プロセッサ２００は、第１の照度および第２の照度の平均値を前面照度として得るように、第３の照度および第４の照度の最大値を背面照度として選択するように、かつ前面照度および背面照度の最大値を最終照度として選択するように構成され得る。
【００６７】
いくつかの実施形態では、プロセッサ２００は、計算方法を上の４つの方法の間で切り替えることができ、この切替えは、照度の特定値に応じてユーザによって手動でまたは自動的に実現することができる。例えば、第１の照度、第２の照度、第３の照度および第４の照度のそれぞれが所定の照度閾値未満であるとき、ユーザは暗環境中で電子装置１０００を使用し得ることが決定され得て、したがって、プロセッサ２００は、計算方法を方法１、すなわち最大値を最終照度として選択することに切り替えることができる。
【００６８】
これに対して、前面カメラアセンブリ１００ａおよび背面カメラアセンブリ１００ｂ内の４つの光感知領域１２２２のすべてが照度を検出するように構成され、プロセッサ２００によって得られる最終照度は環境の実際の照度を客観的に反映することができる。
【００６９】
表２内のいくつかの動作モードでは、前面カメラアセンブリ１００ａ内の一方の光感知領域１２２２が第１の照度を検出し、背面カメラアセンブリ１００ｂ内の一方の光感知領域１２２２が第２の照度を検出する。プロセッサ２００は、第１の照度および第２の照度の最大値を最終照度として選択するように構成される。
【００７０】
これに対して、前面カメラアセンブリ１００ａおよび背面カメラアセンブリ１００ｂのそれぞれが、作動時に一方の光感知領域１２２２をイネーブルにしてエネルギーを節約する。前面カメラアセンブリ１００ａ内の一方の光感知領域１２２２が故障した場合、前面カメラアセンブリ１００ａ内の他方の光感知領域１２２２は第１の照度を検出するために使用することができる。背面カメラアセンブリ１００ｂ内の一方の光感知領域１２２２が故障した場合、背面カメラアセンブリ１００ｂ内の他方の光感知領域１２２２は第２の照度を検出するために使用することができる。したがって、電子装置１０００の通常の使用は影響を受けない。
【００７１】
表２内のいくつかの動作モードでは、前面カメラアセンブリ１００ａ内の２つの光感知領域１２２２はそれぞれ第１の照度および第２の照度を検出し、背面カメラアセンブリ１００ｂ内の一方の光感知領域１２２２が第３の照度を検出する。このようにして、電子装置１０００の最終照度は、以下の２つの方法の一方に基づいて計算することができる。
【００７２】
方法１、プロセッサ２００は、第１の照度および第２の照度の最大値を前面照度として選択するように、かつ前面照度および第３の照度の最大値を最終照度として選択するように構成される。
【００７３】
方法２、プロセッサ２００は、第１の照度および第２の照度の平均値を前面照度として得るように、かつ前面照度および第３の照度の最大値を最終照度として選択するように構成される。
【００７４】
いくつかの実施形態では、プロセッサ２００は、計算方法を上の２つの方法の間で切り替えることができる。背面カメラアセンブリ１００ｂだけが、作動時に一方の光感知領域１２２２をイネーブルにしてエネルギーを節約する。背面カメラアセンブリ１００ｂ内の一方の光感知領域１２２２が故障した場合、背面カメラアセンブリ１００ｂ内の他方の光感知領域１２２２は第３の照度を検出するために使用することができる。したがって、電子装置１０００の通常の使用は影響を受けない。
【００７５】
表２内のいくつかの動作モードでは、前面カメラアセンブリ１００ａ内の一方の光感知領域１２２２が第１の照度を検出し、背面カメラアセンブリ１００ｂ内の２つの光感知領域１２２２はそれぞれ第２の照度および第３の照度を検出する。このようにして、電子装置１０００の最終照度は、以下の２つの方法の一方に基づいて計算することができる。
【００７６】
方法１、プロセッサ２００は、第２の照度および第３の照度の最大値を背面照度として選択するように、かつ背面照度および第１の照度の最大値を最終照度として選択するように構成される。
【００７７】
方法２、プロセッサ２００は、第２の照度および第３の照度の平均値を背面照度として得るように、かつ背面照度および第１の照度の最大値を最終照度として選択するように構成される。
【００７８】
いくつかの実施形態では、プロセッサ２００は、計算方法を上の２つの方法の間で切り替えることができる。前面カメラアセンブリ１００ａだけが、作動時に一方の光感知領域１２２２をイネーブルにしてエネルギーを節約する。前面カメラアセンブリ１００ａ内の一方の光感知領域１２２２が故障した場合、前面カメラアセンブリ１００ａ内の他方の光感知領域１２２２は第１の照度を検出するために使用することができる。したがって、電子装置１０００の通常の使用は影響を受けない。
【００７９】
さらに、前面カメラアセンブリ１００ａおよび背面カメラアセンブリ１００ｂは、撮像を同時にまたは時分割で実現することができる。
【００８０】
一実施形態では、前面カメラアセンブリ１００ａおよび背面カメラアセンブリ１００ｂは撮像を同時に実現することができる。例えば、プロセッサ２００は前面カメラアセンブリ１００ａと背面カメラアセンブリ１００ｂの両方をイネーブルにする。背面カメラアセンブリ１００ｂは電子装置１０００の背後の風景の写真を撮るように構成される。前面カメラアセンブリ１００ａはユーザの顔の写真を撮るように構成される。電子装置１０００の表示画面３００は、前面カメラアセンブリ１００ａと背面カメラアセンブリ１００ｂの両方によって取り込まれた画像を同時に表示する。さらに、プロセッサ２００は、前面カメラアセンブリ１００ａと背面カメラアセンブリ１００ｂの両方によって同時に取り込まれた画像を互いに関連して保存することができる。ユーザが保存済み画像を閲覧するとき、風景とその風景を楽しむユーザの顔の両方が確認され、それによってユーザ体験を改善することができる。
【００８１】
別の実施形態では、前面カメラアセンブリ１００ａおよび背面カメラアセンブリ１００ｂは撮像を時分割で実現することができる。例えば、前面カメラアセンブリ１００ａは、背面カメラアセンブリ１００ｂがディスエーブルにされている間作動しているか、あるいは前面カメラアセンブリ１００ａはディスエーブルにされるが、背面カメラアセンブリ１００ｂは作動している。このようにして、電子装置１０００は、電子装置１０００の背後の風景の写真を撮ることができるだけでなく、自撮り写真を取り込むこともできる。
【００８２】
前面カメラアセンブリ１００ａ内の２つのレンズアセンブリ１０は、撮像を同時にまたは時分割で実現して画質を最適化することができる。背面カメラアセンブリ１００ｂ内の２つのレンズアセンブリ１０は、撮像を同時にまたは時分割で実現して画質を最適化することもできるので、これについて本明細書では説明しない。
【００８３】
さらに、前面カメラアセンブリ１００ａ内の一方の光感知領域１２２２が光感知モードであり、他方の光感知領域１２２２が撮像モードであるとき、前面カメラアセンブリ１００ａ内の撮像モードのレンズアセンブリ１０は撮像を実現するように構成され、前面カメラアセンブリ１００ａ内の光感知モードのレンズアセンブリ１０の光感知領域１２２２は、照度を前面カメラアセンブリ１００ａの最終照度として検出するように、かつ表示画面３００の明るさを制御して環境の検出済み照度に応じて変化させるように構成される。同様に、背面カメラアセンブリ１００ｂ内の一方の光感知領域１２２２が光感知モードであり、他方の光感知領域１２２２が撮像モードであるとき、背面カメラアセンブリ１００ｂ内の撮像モードのレンズアセンブリ１０は撮像を実現するように構成され、背面カメラアセンブリ１００ｂ内の光感知モードのレンズアセンブリ１０の光感知領域１２２２は、照度を背面カメラアセンブリ１００ｂの最終照度として検出するように、かつ表示画面３００の明るさを制御して環境の検出済み照度に応じて変化させるように構成される。このようにして、プレビューはユーザが写真を撮るときに実現され、それによってユーザ体験を改善することができる。
【００８４】
図４〜図６を参照すると、いくつかの実施態様では、電子装置１０００は別のカメラアセンブリ６００をさらに含む。別のカメラアセンブリ６００はイメージセンサ３０を含む。イメージセンサ３０は画素配列３２および制御回路３４を含む。画素配列３０は光感知領域３２２および撮像領域３２４を含む。制御回路３４は、光感知命令が受け取られる場合にイメージセンサ３０の光感知領域３２２を制御して照度を検出するように、撮像命令が受け取られる場合にイメージセンサ３０の光感知領域３２２および撮像領域３２４を制御して画像をまとめて取得するように構成される。
【００８５】
図５を参照すると、いくつかの実施態様では、単一のカメラアセンブリ１００が前面カメラアセンブリ１００ａとして構成される。別のカメラアセンブリ６００は背面カメラアセンブリ６００ｂとして構成される。
【００８６】
図６を参照すると、いくつかの実施態様では、単一のカメラアセンブリ１００が背面カメラアセンブリ１００ｂとして構成される。別のカメラアセンブリ６００は前面カメラアセンブリ６００ａとして構成される。
【００８７】
プロセッサ２００は、別のカメラアセンブリ６００およびカメラアセンブリ１００によって検出された照度と取得済み画像とに関する総合的処理を行って最終照度および最終画像を取得することができる。この処理方法は、２つのカメラアセンブリ１００によって検出された照度および２つのカメラアセンブリ１００によって取得された画像に応じて最終照度および最終画像を取得するために、プロセッサ２００によって用いられた方法と同様でよいので、これについて本明細書では説明しない。別のカメラアセンブリ６００はフィルタ４０をさらに含む。別のカメラアセンブリ６００のフィルタ４０を通過した光はイメージセンサ３０の撮像領域３２４に到達する。
【００８８】
いくつかの実施態様では、撮像領域１２２４の面積と画素配列１２２の面積の比は０．６以上であり、かつ／または光感知領域１２２２の面積と画素配列１２２の面積の比は０．１以上である。いくつかの実施形態では、撮像領域１２２４の面積と画素配列１２２の面積の比は０．６、０．６８、０．７４、０．８、０．９などとすることができる。光感知領域１２２２の面積と画素配列１２２の面積の比は０．１、０．２３、０．３、０．４などとすることができる。したがって、これにより、イメージセンサ１２は、照度を検出する機能を有するのに基づいてより良い撮像効果を有することが確実になる。
【００８９】
いくつかの実施態様では、２つのレンズアセンブリ１０の２つの画素配列１２２は同じでもよく、同じでなくてもよい。
【００９０】
図７および図８を参照すると、いくつかの実施態様では、各画素配列１２２内の撮像領域１２２４は連続しており、画素配列１２２の中央に配置される。光感知領域１２２２は撮像領域１２２４の周囲に配置される。したがって、連続する撮像領域１２２４が連続する完全な画像を生成するのは容易である。いくつかの実施形態では、撮像領域１２２４の中心と画素配列１２２の中心とは一致することができる。撮像領域１２２４は中心対称構造を採用することができる。光感知領域１２２２は撮像領域１２２４の１つまたは複数の辺に配置され得る。
【００９１】
いくつかの実施態様では、光感知領域１２２２は、同じ面積を有しかつ互いに離間された複数の光感知小領域１２２５を含むことができる。
【００９２】
光感知領域１２２２によって検出される照度は、光感知領域１２２２内のすべての画素点によって検出される照度を考慮に入れることにより得ることができる。したがって、目的の照度を得るには、光感知領域１２２２はできる限り分散化される。言い換えると、光感知領域１２２２は、複数の離間された光感知小領域１２２５として分散化される。
【００９３】
互いに離間された複数の光感知小領域１２２５は光感知領域１２２２の検出範囲を広げることができ、光感知領域１２２２の検出精度を向上させることができる。一実施形態では、４つの光感知小領域１２２５がある。各光感知小領域１２２５の面積と画素配列１２２の面積の比は０．０５とすることができる。複数の光感知小領域１２２５はそれぞれ、撮像領域１２２４の上方、下方、左側、右側に配置され得る。
【００９４】
図９を参照すると、いくつかの実施態様では、複数の光感知小領域１２２５は左光感知小領域１２２６および右光感知小領域１２２７を含む。左光感知小領域１２２６は撮像領域１２２４の左側にあり、右光感知小領域１２２７は撮像領域１２２４の右側にある。左光感知小領域１２２６および右光感知小領域１２２７は対称に配置される。左光感知小領域１２２６は左照度を検出する（左照度は、左光感知小領域によって検出される照度を指す）。右光感知小領域１２２７は右照度を検出する（右照度は、右光感知小領域によって検出される照度を指す）。光感知領域１２２２によって検出される照度は左照度および右照度の平均値である。
【００９５】
これに対して、左光感知小領域１２２６および右光感知小領域１２２７が光感知領域１２２２によって検出される照度に与える影響は本質的に同じであり、したがって、光感知領域１２２２が撮像領域の左側または右側で光の変化に敏感すぎるために検出結果が不正確であるという問題は回避することができる。
【００９６】
いくつかの実施態様では、複数の光感知小領域１２２５は上光感知小領域１２２８および下光感知小領域１２２９を含む。上感知小領域１２２８は撮像領域１２２４の上方にある。下光感知小領域１２２９は撮像領域１２２４の下方にある。上光感知小領域１２２８および下光感知小領域１２２９は対称に配置される。上光感知小領域１２２８は上照度を検出する（上照度は、上光感知小領域によって検出される照度を指す）。下光感知小領域１２２９は下照度を検出する（下照度は、下光感知小領域によって検出される照度を指す）。光感知領域１２２２によって検出される照度は上照度および下照度の平均値である。
【００９７】
これに対して、上光感知小領域１２２８および下光感知小領域１２２９が光感知領域１２２２によって検出される照度に与える影響は本質的に同じであり、したがって、光感知領域１２２２が撮像領域の上方または下方で光の変化に敏感すぎるために検出結果が不正確であるという問題は回避することができる。
【００９８】
いくつかの実施態様では、複数の光感知小領域１２２５は、左光感知小領域１２２６、右光感知小領域１２２７、上光感知小領域１２２８および下光感知小領域１２２９を含む。一実施形態では、左光感知小領域１２２６、右光感知小領域１２２７、上光感知小領域１２２８および下光感知小領域１２２９は中心対称である。左光感知小領域１２２６および右光感知小領域１２２７は対称に配置され、上光感知小領域１２２８および下光感知小領域１２２９は対称に配置される。左光感知小領域１２２６は左照度を検出する。右光感知小領域１２２７は右照度を検出する。上光感知小領域１２２８は上照度を検出する。下光感知小領域１２２９は下照度を検出する。光感知領域１２２２によって検出される照度は、左照度、右照度、上照度および下照度の平均値である。
【００９９】
これに対して、左光感知小領域１２２６、右光感知小領域１２２７、上光感知小領域１２２８および下光感知小領域１２２９が光感知領域１２２２によって検出される照度に与える影響は本質的に同じであり、したがって、光感知領域１２２２が撮像領域の上方、下方、左側または右側で光の変化に敏感すぎるために検出結果が不正確であるという問題は回避することができる。
【０１００】
これらの小領域が対称に配置されることは、小領域の面積および形状が撮像領域１２２４に関して対称であることを意味する。
【０１０１】
これに対して、左光感知小領域１２２６、右光感知小領域１２２７、上光感知小領域１２２８および下光感知小領域１２２９は、撮像領域１２２４の上側、下側、左側および右側で複数方向の光を同時に検出し、それによって光感知領域１２２２の検出結果の精度を向上させることができる。
【０１０２】
図９に示すように、画素配列１２２では、光感知領域１２２２および撮像領域１２２４は、「＋」の形をした合成画像をまとめて取得する。拡大した光感知領域１２２２は、合成画像の視野が拡大されるように現在の環境のより多くの情報を得ることができ、それによって撮影効果を最適化することができる。したがって、ユーザが電子装置１０００を使用して写真を撮るとき、「＋」の形をした画像は、ユーザの個人向け需要が満たされ得るように取得することができ、それによってユーザ体験を改善することができる。
【０１０３】
図１０および図１１を参照すると、いくつかの実施態様では、画素配列１２２は円または楕円の形をしている。撮像領域１２２４は、画素配列１２２の内接長方形の形をしている。光感知領域１２２２は、円または楕円の内接長方形以外の領域を含む。
【０１０４】
したがって、撮像領域１２２４は画素配列１２２の中央にあるので、画像を容易に取得することができる。光感知領域１２２２は分散化される。撮像領域１２２４の左側の光感知領域１２２２および撮像領域１２２４の右側の光感知領域１２２２は対称である。光感知領域１２２２は、撮像領域１２２４の左側および右側で光の変化に対して同じ感度を有する。撮像領域１２２４の上方の光感知領域１２２２および撮像領域１２２４の下方の光感知領域１２２２は対称である。光感知領域１２２２は、撮像領域１２２４の上方および下方で光の変化に対して同じ感度を有する。したがって、光感知領域１２２２は正確な検出結果を得ることができる。
【０１０５】
図１２および図１３を参照すると、画素配列は長方形の形をしている。撮像領域１２２４は、長方形の内接円または内接楕円の形をしている。光感知領域１２２２は、長方形の内接円または内接楕円以外の領域を含む。
【０１０６】
したがって、撮像領域１２２４は円または楕円の形をしている。ユーザは、さらなる後処理なしに撮像領域１２２４によって円または楕円の形の画像を得ることができ、それによってユーザの個人向け需要を満たすことができる。光感知領域１２２２は、光感知領域１２２２によって検出される照度の精度を上げることができるように分散化される。
【０１０７】
したがって、撮像領域１２２４は画素配列１２２の中央にあるので、画像を容易に取得することができる。撮像領域１２２４の上方の光感知領域１２２２および撮像領域１２２４の下方の光感知領域１２２２は対称である。撮像領域１２２４の左側の光感知領域１２２２および撮像領域１２２４の右側の光感知領域１２２２は対称である。
【０１０８】
図１４および図１５を参照すると、いくつかの実施態様では、撮像領域１２２４は連続しており、光感知領域１２２２も連続している。撮像領域１２２４および光感知領域１２２２は共通の境界を共有する。２つのレンズアセンブリ１０の２つの撮像領域１２２４は、２つのレンズアセンブリ１０の２つの光感知領域１２２２の間に配置される。したがって、画素配列１２２は単純な構造を有する。制御回路１２４は、光感知命令または撮像命令を受け取った後で対応する撮像領域１２２４または対応する光感知領域１２２２内の画素を容易に見つけることができる。いくつかの実施形態では、撮像領域１２２４の面積と画素配列１２２の面積の比は０．８である。光感知領域１２２２の面積と画素配列１２２の面積の比は０．２である。撮像領域１２２４は、撮像領域１２４が長方形の形をした画像を得ることができるように長方形の形にすることができる。光感知領域１２２２も長方形の形にすることができ、光感知領域１２２２の長辺は、撮像領域１２２４の長辺または撮像領域１２２４の短辺と交わることができる。
【０１０９】
２つのレンズアセンブリ１０の２つの撮像領域１２２４は、２つのレンズアセンブリ１０の２つの光感知領域１２２２の間に配置される。いくつかの実施形態では、図１４に示すように、２つのレンズアセンブリ１０が横方向に配置される場合、一方の光感知領域１２２２は左イメージセンサ１２の左側に配置され、他方の光感知領域１２２２は右イメージセンサ１２の右側に配置される。図１５に示すように、２つのレンズアセンブリ１０が縦方向に配置される場合、一方の光感知領域１２２２は上イメージセンサ１２の上方に配置され、他方の光感知領域１２２２は下イメージセンサ１２の下方に配置される。このようにして、カメラアセンブリ１０の２つの光感知領域１２２２は、広範囲で検出しかつより正確な検出結果を得ることができる。
【０１１０】
イメージセンサ１２の画素配列１２２の配置はイメージセンサ３０の画素配列３２の配置にも適し得るので、これについて本明細書では説明しない。
【０１１１】
本明細書全体を通して「一実施形態（ａｎ  ｅｍｂｏｄｉｍｅｎｔ）」、「いくつかの実施形態（ｓｏｍｅ  ｅｍｂｏｄｉｍｅｎｔｓ）」、「一例（ａｎ  ｅｘａｍｐｌｅ）」、「特定の例（ａ  ｓｐｅｃｉｆｉｃ  ｅｘａｍｐｌｅ）」、または「いくつかの例（ｓｏｍｅ  ｅｘａｍｐｌｅｓ）」への言及は、その実施形態または例に関連して記述される特定の特徴、構造、材料、または特性が本開示の少なくとも１つの実施形態または例に含まれることを意味する。本明細書では、前述の用語の例示的な説明は、必ずしも同じ実施形態または例を指すものではない。さらに、特定の特徴、構造、材料、または特性は、１つまたは複数の実施形態または例において任意の適当な態様で組み合わされ得る。さらに、当業者なら、本開示に記述される実施形態または例において様々な実施形態または様々な特性を組み合わせることができるであろう。
【０１１２】
さらに、「第１の（ｆｉｒｓｔ）」および「第２の（ｓｅｃｏｎｄ）」という用語は説明のためにのみ用いられ、相対的重要性を指摘または含意するあるいは指示した技術的特徴の数を指摘または含意すると見なすことはできない。したがって、「第１の」および「第２の」を用いて定義される特徴は、これらの特徴のうちの少なくとも１つを含むまたは含意することがある。本開示の説明では、「複数の（ａ  ｐｌｕｒａｌｉｔｙ  ｏｆ）」は、特に指定されない限り、２つまたは３つ以上を意味する。
【０１１３】
流れ図に記載されているまたは他の方法で本明細書に記載されているプロセスまたは方法は、そのプロセス内の特定の論理的機能またはステップを実現するための実行可能命令のコードの１つまたは複数のモジュール、セグメントまたは部分を含むと理解することができ、本開示の好ましい実施形態の範囲は他の実施態様を含み、実行の順序は、図示または議論されているものとは異なることがあり、関連する機能に従って、その機能を果たすために同時にもしくは部分的に同時にまたは逆の順序で実行することを含み、このことは当業者なら理解するであろう。
【０１１４】
本明細書に他の態様で記載されている、あるいは流れ図、例えば論理的機能を実現するための実行可能命令の特定のシーケンス表に示されている論理および／またはステップは、具体的には、命令実行システム、装置または機器（コンピュータをベースとするシステム、プロセッサを備えるシステム、あるいは命令実行システム、装置および機器から命令を取得しかつこの命令を実行することができる他のシステムなど）によって使用されるべき任意のコンピュータ可読媒体で、あるいは命令実行システム、装置および機器と組み合わせて使用されるべき任意のコンピュータ可読媒体で実現することができる。本明細書に関して、「コンピュータ可読媒体」は、命令実行システム、装置もしくは機器によって、または命令実行システム、装置もしくは機器と組み合わせて使用されるべきプログラムを含める、保存する、通信する、伝達する、もしくは転送することに適応できる任意の装置でよい。コンピュータ可読媒体のより具体的な例としては、１つまたは複数の電線を有する電子接続（電子装置）、携帯用コンピュータ筐体（磁気装置）、ランダムアクセスメモリ（ＲＡＭ）、リードオンリメモリ（ＲＯＭ）、消去可能なプログラマブルリードオンリメモリ（ＥＰＲＯＭまたはフラシュメモリ）、光ファイバ装置、および携帯用コンパクトディスクリードオンリメモリ（ＣＤＲＯＭ）があるが、これらに限定されるものではない。加えて、コンピュータ可読媒体は、その上にプログラムを印刷することができる紙または他の適切な媒体でもよく、これは、電子的方法でプログラムを得るために必要なときに紙または他の適切な媒体が光学的に走査され、次いで編集、解読または他の適切な方法で処理され得て、次いでプログラムはコンピュータメモリに保存され得るからである。
【０１１５】
本開示の各部分は、ハードウェア、ソフトウェア、ファームウェアまたはこれらを組み合わせたものによって実現され得ることが理解されるべきである。上記の実施形態では、複数のステップまたは方法が、メモリに保存され適切な命令実行システムによって実行されるソフトウェアまたはファームウェアによって実現され得る。例えば、本開示の各部分がハードウェアによって実現される場合、同様に別の実施形態では、ステップまたは方法は、当技術分野で知られている下記の技法、すなわち、データ信号の論理関数を実現するための論理ゲート回路を有するディスクリート論理回路、適切な組み合わせ論理ゲート回路を有するアプリケーション専用集積回路、プログラマブルゲートアレイ（ＰＧＡ）、フィールドプログラマブルゲートアレイ（ＦＰＧＡ）などのうちの１つまたはそれらを組み合わせたものによって実現され得る。
【０１１６】
当業者なら、本開示のための上記の例示した方法におけるステップの全部または一部が関連ハードウェアをプログラムで命令することによって実現され得ること、プログラムはコンピュータ可読記憶媒体に保存され得ること、ならびにプログラムがコンピュータ上で動作するときに本開示の方法実施形態におけるステップのうちの１つまたはステップの組み合わせを含むこと、を理解するであろう。
【０１１７】
加えて、本開示の諸実施形態の各機能セルが処理モジュール内に統合されてもよく、またはこれらのセルが別個の物理的存在であってもよく、または２つ以上のセルが処理モジュール内に統合される。統合モジュールは、ハードウェアの形でまたはソフトウェア機能モジュールの形で実現され得る。統合モジュールがソフトウェア機能モジュールの形で実現され、独立した製品として販売または使用される場合、統合モジュールはコンピュータ可読記憶媒体に保存され得る。
【０１１８】
上述した記憶媒体は、リードオンリメモリ、磁気ディスク、ＣＤなどとすることができる。
【図１】
2020504565.tif 000005
【図２】
2020504565.tif 000006
【図３】
2020504565.tif 000007
【図４】
2020504565.tif 000008
【図５】
2020504565.tif 000009
【図６】
2020504565.tif 000010
【図７】
2020504565.tif 000011
【図８】
2020504565.tif 000012
【図９】
2020504565.tif 000013
【図１０】
2020504565.tif 000014
【図１１】
2020504565.tif 000015
【図１２】
2020504565.tif 000016
【図１３】
2020504565.tif 000017
【図１４】
2020504565.tif 000018
【図１５】
2020504565.tif 000019
【国際調査報告】
2020504565.tif 000020
2020504565.tif 000021